(57)【要約】【課題】浴室内の清掃の手間を低減することができることを目的とする。【解決手段】アルカリ性電解水用電磁弁９を開きノズルユニット５へアルカリ性電解水２０の供給を行い噴霧を行った後にアルカリ性電解水用電磁弁９を閉じ、酸性電解水用電磁弁８を開きノズルユニット５へ酸性電解水１９の供給を行い噴霧を行った後に酸性電解水用電磁弁８を閉じる、という構成にしたことにより、浴室１５内にアルカリ性電解水２０を噴霧し有機物質による汚れをはがした後に酸性電解水１９を噴霧し除菌することで浴室１５内の清掃の手間を低減することができる浴室清掃装置を得られる。【選択図】図２
2018122090.tif 000002
【特許請求の範囲】
【請求項１】
アルカリ性電解水を生成するアルカリ性電解水生成部と酸性電解水を生成する酸性電解水生成部とを有する電解槽と、
前記電解槽から供給される前記アルカリ性電解水と前記酸性電解水とを散布するノズルユニットと、
前記ノズルユニットからの電解水の散布を制御する制御部と、を備え、
前記制御部は、
前記アルカリ性電解水と前記酸性電解水とを交互に散布する浴室清掃装置。
【請求項２】
清掃開始時において前記制御部は、
前記アルカリ性電解水を散布し、当該アルカリ性電解水の散布の後に前記酸性電解水を散布する請求項１記載の浴室清掃装置。
【請求項３】
清掃開始時において前記制御部は、
前記酸性電解水を散布し、当該酸性電解水の散布の後に前記アルカリ性電解水を散布する請求項１記載の浴室清掃装置。
【請求項４】
前記ノズルユニットは、
前記アルカリ性電解水と前記酸性電解水とを受水可能であり、
前記制御部は、
前記ノズルユニットへの前記アルカリ性電解水と前記酸性電解水との供給を排他的に切り替える請求項１記載の浴室清掃装置。
【請求項５】
前記制御部は、
複数の流路間の接続を切り替える弁と、
前記弁と前記ノズルユニットとを接続する散布流路と、
前記アルカリ性電解水生成部と前記弁とを接続するアルカリ性電解水供給流路と、
前記酸性電解水生成部と前記弁とを接続する酸性電解水供給流路と、
前記電解水を排水するための排水経路と前記弁とを接続する排水流路と、を備え、
前記弁は、
前記アルカリ性電解水供給流路と前記散布流路とを接続する際には前記酸性電解水供給流路と前記排水流路とを接続し、
前記酸性電解水供給流路と前記散布流路とを接続する際には前記アルカリ性電解水供給流路と前記排水流路とを接続する、請求項１から４のいずれかに記載の浴室清掃装置。
【請求項６】
前記電解槽は、
前記アルカリ性電解水生成部と前記酸性電解水生成部とを電気分解可能な隔膜で分離する請求項１から５のいずれかに記載の浴室清掃装置。
【請求項７】
前記電解槽は、
当該電解槽に貯められた水を電気分解するための電極を備えた請求項１から６のいずれかに記載の浴室清掃装置。
【発明の詳細な説明】
【技術分野】
【０００１】
本発明は、浴室清掃装置に関するものである。
【背景技術】
【０００２】
従来、この種の浴室清掃装置は、水を電気分解して得られた次亜塩素酸水を浴室内に散布することで浴室内を清浄するものが知られている（例えば、特許文献１参照）。
【先行技術文献】
【特許文献】
【０００３】
【特許文献１】特開平１１−３１６０８３号公報
【発明の概要】
【発明が解決しようとする課題】
【０００４】
このような従来の浴室清掃装置において、次亜塩素酸水は石鹸のカスや身体の垢等の有機物質の汚れに対して洗浄効果が弱いか或いは無いと考えられている。よって、清掃者は、定期的にスポンジ等で擦って浴槽や浴室内を清掃する必要がある、という課題を有していた。
【０００５】
そこで本発明は、上記従来の課題を解決するものであり、浴室内の清掃の手間を低減することができる浴室清掃装置を提供することを目的とする。
【課題を解決するための手段】
【０００６】
本発明に係る浴室清掃装置は、アルカリ性電解水を生成するアルカリ性電解水生成部と酸性電解水を生成する酸性電解水生成部とを有する電解槽と、前記電解槽から供給される前記アルカリ性電解水と前記酸性電解水とを散布するノズルユニットと、前記ノズルユニットからの電解水の散布を制御する制御部と、を備え、前記制御部は、前記アルカリ性電解水と前記酸性電解水とを交互に散布する浴室清掃装置であり、これにより所期の目的を達成するものである。
【発明の効果】
【０００７】
本発明によれば、浴室清掃装置は、アルカリ性電解水と酸性電解水とを交互に散布する、という構成にしたことにより、アルカリ性電解水の散布により浴室内の石鹸のカスや垢といった有機物質による汚れの洗浄を行い、酸性電解水の散布により、浴室内の除菌をすることとなる。このため、浴室内の清掃の手間を低減することができる、という効果を得ることができる。
【図面の簡単な説明】
【０００８】
【図１】本発明の実施の形態１に係る浴室清掃装置の設置状態を示す斜視図
【図２】実施の形態１に係る浴室清掃装置の概略構成を示す図
【図３】実施の形態２に係る浴室清掃装置の概略構成を示す図
【図４】実施の形態２に係る浴室清掃装置の概略構成を示す図
【発明を実施するための形態】
【０００９】
以下、本発明の実施の形態について図面を参照しながら説明し、本発明の理解に供する。なお、以下の実施の形態は、本発明を具体化した一例であって、本発明の技術的範囲を限定するものではない。また、全図面を通して、同一の部位については同一の符号を付して二度目以降の説明を省略している。
【００１０】
（実施の形態１）
本発明に係る浴室清掃装置５０ａは、図１、図２に示すように、浴室暖房乾燥機１などに内蔵され利用され、または単独で利用される。浴室暖房乾燥機１は、例えば浴室１５の天井１６に開口を向け、本体は天井１６の裏に設置される。
【００１１】
浴室暖房乾燥機１は、底面にフロントパネル２を備え、本体内部に暖房装置（図示せず）、乾燥装置（図示せず）、浴室清掃装置５０ａを備える。
【００１２】
フロントパネル２は、吸込み口３と、吹出し口４と、ノズルユニット５とを備える。
【００１３】
吸込み口３は、浴室１５内の空気を浴室暖房乾燥機１の内部に吸込むための開口である。
【００１４】
吹出し口４は、浴室暖房乾燥機１の内部に吸込んだ空気を浴室１５内へ吹き出す開口である。
【００１５】
暖房装置は、吸込み口３を介して浴室暖房乾燥機１の内部に取り入れた空気の温度を高めるためのものであり、例えばヒーターである。暖房装置は、浴室１５内を暖めるときや、乾燥を速めるときは、ファンを介して浴室１５内の空気を吸込み口３から吸込み、ヒーターで加熱して吹出し口４から浴室１５へ吹出す。
【００１６】
乾燥装置は、例えば浴室暖房乾燥機１の内部に取り入れた空気を屋外に排出すると共に、屋外の空気を浴室暖房乾燥機１の内部及び吹出し口４を介して浴室内に吹き出す。また、必要に応じて浴室内に吹出し空気の温度を暖房装置により高めることで、浴室内の乾燥速度を速める。
【００１７】
ノズルユニット５は、浴室清掃装置５０ａを構成するが、詳細は後述する。
【００１８】
浴室清掃装置５０ａは、浴室暖房乾燥機１の本体内に設けられ、水道水供給部２９と、電解水生成部３０と、制御部３１ａと、ノズルユニット５と、を備える。
【００１９】
水道水供給部２９は、給水管６と、水道水供給用電磁弁７と、を備える。
【００２０】
給水管６は、一端が例えば家庭用上水道と接続され、他端が水道水供給用電磁弁７と接続される。
【００２１】
水道水供給用電磁弁７は、電解水生成部３０へ水道水を供給し、さらには供給する水道水の量を調整する。
【００２２】
電解水生成部３０は、電解水を生成する電解槽として有隔膜電解槽１４と、陽極板１２と、陰極板１３と、ＤＣ電源１０を備える。
【００２３】
有隔膜電解槽１４は、酸性電解水生成部４１と、アルカリ性電解水生成部４０と、隔膜１１とを供える。
【００２４】
酸性電解水生成部４１は、有隔膜電解槽１４の槽内における酸性電解水を生成するための空間であり、水道水供給用電磁弁７を開状態にすることにより水道水が供給され、貯水する。酸性電解水生成部４１は、底面に制御部３１ａを介してノズルユニット５に接続する酸性給水管１７を備える。
【００２５】
アルカリ性電解水生成部４０は、有隔膜電解槽１４の槽内におけるアルカリ性電解水を生成するための空間であり、水道水供給用電磁弁７を開状態にすることにより水道水が供給され、貯水する。アルカリ性電解水生成部４０は、底面に制御部３１ａを介してノズルユニット５に接続するアルカリ性給水管１８を備える。
【００２６】
隔膜１１は、内部をイオンが通過できるイオン交換膜であり、有隔膜電解槽１４をアルカリ性電解水生成部４０と酸性電解水生成部４１とに二分割する。
【００２７】
陽極板１２は、酸性電解水生成部４１に配置され、ＤＣ電源１０のプラス側と接続される。陽極板１２は、酸性電解水生成部４１に供給された水道水を電気分解し、酸性電解水生成部４１内にて酸性電解水を生成する。
【００２８】
陰極板１３は、アルカリ性電解水生成部４０に配置され、ＤＣ電源１０のマイナス側と接続される。陰極板１３は、アルカリ性電解水生成部４０に供給された水道水を電気分解し、アルカリ性電解水生成部４０内にてアルカリ性電解水を生成する。
【００２９】
ＤＣ電源１０は、陽極板１２と陰極板１３との間に直流を印加する電源であり、プラス側を陽極板１２にマイナス側を陰極板１３に接続される。
【００３０】
制御部３１ａは、酸性給水管１７と、アルカリ性給水管１８と、ノズルユニット５への給水量を調整する弁としての、酸性電解水用電磁弁８とアルカリ性電解水用電磁弁９とを備える。
【００３１】
酸性給水管１７は、酸性電解水生成部４１の底面と、ノズルユニット５とを接続する。酸性給水管１７は、給水量を調整する弁として酸性電解水用電磁弁８を備える。
【００３２】
アルカリ性給水管１８は、アルカリ性電解水生成部４０の底面と、ノズルユニット５とを接続する。アルカリ性給水管１８は、給水量を調整する弁としてアルカリ性電解水用電磁弁９を備える。
【００３３】
酸性電解水用電磁弁８とアルカリ性電解水用電磁弁９は、それぞれを構成する電磁石に電流を流す事で開閉を行うことでノズルユニット５への給水量を調整するものである。
【００３４】
制御部３１ａは、酸性電解水用電磁弁８とアルカリ性電解水用電磁弁９とを交互に開閉して酸性電解水１９とアルカリ性電解水２０とをノズルユニット５に排他的に供給する。また、制御部３１ａは、清掃者が操作可能な操作パネルを備え、清掃者の入力に基づいて清掃処理を開始する。制御部３１ａは、清掃処理を開始した後に１回だけ、アルカリ性電解水と酸性電解水とを散布するものでも良いし、アルカリ性電解水と酸性電解水との散布を１セットとして、複数セット散布しても良い。
【００３５】
ノズルユニット５は、アルカリ性給水管１８と酸性給水管１７とに受水可能に接続されており、排他的に受水したアルカリ性電解水又は酸性電解水を浴室内に向けて交互に散布可能である。ここで受水とは、水を受け取ることを意味する。また、散布とは、液体を撒くことを意味し、霧状にして撒く噴霧や、大粒の水滴として垂らし、或いは勢いよく噴射する等でよく、液体の形状（形態）については問わない。霧状にすることで浴室の天井や浴室内の隅々まで行き渡らせることが可能であり、噴射することで特に清掃の対象となる例えば浴槽内を重点的に清掃することも可能である。また、ノズルユニット５は、アルカリ性電解水と酸性電解水とを排他的に受水可能なものを複数設けることで散布水量を増加させても良い。
【００３６】
以上が、本実施の形態に係る浴室清掃装置５０ａの構成である。
【００３７】
続いて、清掃時の浴室清掃装置５０ａの動作について説明する。
【００３８】
浴室清掃時には、例えば浴室暖房乾燥機１に備えられた操作パネルへの入力などにより清掃モードを開始することで以下の動作を実現する。なお、本実施の形態においては、水道水供給用電磁弁７はメンテナンス時を除いて常時開いており、水道水が給水管６から有隔膜電解槽１４に常時給水されるものとする。
【００３９】
清掃モードが開始されると、ＤＣ電源１０は電圧の印加を開始することで、水道水が電気分解される。なお、電気分解の対象となる水道水には、電気分解を促進するために例えばＮａＣｌやＫＣｌ等の添加剤を添加しても良い。
【００４０】
有隔膜電解槽１４の陽極板１２側、つまり酸性電解水生成部４１内では、電気分解により酸性電解水１９が生成される。また、有隔膜電解槽１４の陰極板１３側、つまりアルカリ性電解水生成部４０内では、電気分解によりアルカリ性電解水２０が生成される。
【００４１】
上記電気分解で生成された酸性電解水１９とアルカリ性電解水２０は、制御部３１ａへ送られる。
【００４２】
制御部３１ａは、酸性電解水用電磁弁８とアルカリ性電解水用電磁弁９を構成するそれぞれの電磁石に一定時間ごとに電流を流すことで開閉を制御し、ノズルユニット５へ供給する酸性電解水１９またはアルカリ性電解水２０を排他的に切り替えてそれぞれ浴室１５内へ散布させる。
【００４３】
ここで、酸性電解水１９は、菌に接触して例えば細胞壁を破壊して不活性化する。また、アルカリ性電解水２０は、有機物の結合力を弱め、壁面からはがしやすくする。これらの効果により、有機物に覆われた菌に対しても、アルカリ性電解水２０が結合力を弱め、壁面から有機物をはがし、酸性電解水１９による除菌が行えるため除去対象物を洗い流すことができる。
【００４４】
なお、ノズルユニット５から浴室１５内へ酸性電解水１９とアルカリ性電解水２０を散布する順番は、以下の２通りある。
【００４５】
１点目は、清掃処理開始時に、まず、アルカリ性電解水用電磁弁９を開きノズルユニット５へアルカリ性電解水２０の供給を行い浴室１５内へアルカリ性電解水２０を散布する。所定時間後に、アルカリ性電解水用電磁弁９を閉じ、酸性電解水用電磁弁８を開きノズルユニット５へ酸性電解水１９の供給を行い浴室１５内へ酸性電解水１９を散布する。さらに所定時間後に、酸性電解水用電磁弁８を閉じる。
【００４６】
この順番で散布を行なうことにより、浴室１５内にアルカリ性電解水２０を散布して有機物質による汚れをはがした後に酸性電解水１９を散布して除菌することとなる。よって、石鹸のカス等の有機物質に覆われた菌に対しても除菌作用を生じさせることができる。このため、擦り洗いが不要となり、或いは従来よりも擦り洗いを軽減化することが出来るため、浴室１５内の清掃を容易にすることができる。
【００４７】
また、２点目は、酸性電解水用電磁弁８を開きノズルユニット５へ酸性電解水１９の供給を行い浴室１５内へ酸性電解水１９を散布する。所定時間後に、酸性電解水用電磁弁８を閉じ、アルカリ性電解水用電磁弁９を開きノズルユニット５へアルカリ性電解水２０の供給を行い浴室１５内へアルカリ性電解水２０を散布する。さらに所定時間後に、アルカリ性電解水用電磁弁９を閉じる。
【００４８】
この順番で散布することにより、浴室１５内に酸性電解水１９を散布して除菌した後にアルカリ性電解水を散布して有機物質による汚れをはがすこととなる。よって、菌を浴室１５内に散乱させることがない。このため、擦り洗いが不要となり、或いは従来よりも擦り洗いを軽減化することが出来るため、浴室１５内の清掃を容易にすることができる。
【００４９】
（実施の形態２）
続いて、本発明の実施の形態２に係る浴室清掃装置５０ｂについて、図３、図４を用いて説明する。なお、実施の形態２では、実施の形態１と異なる点のみを説明する。
【００５０】
図３、４に示すように、浴室清掃装置５０ｂの構造が浴室清掃装置５０ａと異なる点は、制御部３１ｂの構成である。
【００５１】
制御部３１ｂは、酸性電解水供給流路としての酸性給水管１７と、アルカリ性電解水供給流路としてのアルカリ性給水管１８と、排水流路としての排水管２２と、散布流路としての散布管２３と、流路の切り替えを行う弁としての流路切替用弁２１とを備える。
【００５２】
酸性給水管１７は、一端を酸性電解水生成部４１の底面と、他端を流路切替用弁２１の開口Ａと接続する。
【００５３】
アルカリ性給水管１８は、一端をアルカリ性電解水生成部４０の底面と、他端を流路切替用弁２１の開口Ｂと接続する。
【００５４】
排水管２２は、一端を図示しない例えば排水口と、他端を流路切替用弁２１の開口Ｃと接続する。
【００５５】
散布管２３は、一端をノズルユニット５と、他端を流路切替用弁２１の開口Ｄと接続する。
【００５６】
なお、流路切替用弁２１は、開口Ａ、開口Ｂ、開口Ｃ、開口Ｄがそれぞれ独立しており、開口Ａは流路切替用弁２１内部で開口Ｃまたは開口Ｄと連通する。また開口Ｂは流路切替用弁２１内部で開口Ｃまたは開口Ｄと連通する。そして、開口Ａと開口Ｃとが流路切替用弁２１内部で連通している際には、開口Ｂと開口Ｄとが連通する。また、開口Ａと開口Ｄとが流路切替用弁２１内部で連通している際には、開口Ｂと開口Ｃとが連通する。
【００５７】
言い換えると、図３に示すように、流路切替用弁２１は、酸性給水管１７と排水管２２とを接続する際には、アルカリ性給水管１８と散布管２３とを接続する。また、図４に示すように、流路切替用弁２１は、酸性給水管１７と散布管２３とを接続する際には、アルカリ性給水管１８と排水管とを接続する。
【００５８】
つまり、排水管２２及び散布管２３は、流路切替用弁２１を通して、酸性給水管１７あるいはアルカリ性給水管１８のいずれかと接続され、同時に両方と接続されることはない。このような流路切替用弁２１として、例えば電磁四方切替弁を利用することができる。なお、流路切替用弁２１が上述の開口Ａ〜開口Ｄ以外に他の開口を備えていても、上記構成を満たしておれば問題ない。
【００５９】
制御部３１ｂは、流路切替用弁２１の連通パターンを切替えることにより、酸性電解水１９とアルカリ性電解水２０とをノズルユニット５に排他的に供給する。また、酸性電解水１９をノズルユニット５に供給時にはアルカリ性電解水２０を酸性電解水１９と等量排水し、アルカリ性電解水２０をノズルユニット５に供給時には酸性電解水１９をアルカリ性電解水２０と等量排水する。
【００６０】
このような構成によれば、生成された酸性電解水１９とアルカリ性電解水２０とは等量が同時に有隔膜電解槽１４から排出され、すなわち消費される。よって、水道水供給部２９から有隔膜電解槽１４内の酸性電解水生成部４１とアルカリ性電解水生成部４０へ常に電解質としての水道水が供給されることになる。これにより有隔膜電解槽１４での電解質の減少が抑えられ、電解水の生成効率を上げることができ、陽極板１２と陰極板１３の劣化を防ぐことができるため、メンテナンスコストを削減することができる。また、水道水供給部２９での水道水供給用電磁弁７の開閉による水道水の供給量の調整が容易、つまり常時開放して酸性電解水生成部４１とアルカリ性電解水生成部４０とに等量供給すればよいので、給水制御を簡易化することができる。
【００６１】
（実施の形態の概要）
本発明に係る浴室清掃装置は、アルカリ性電解水を生成するアルカリ性電解水生成部と酸性電解水を生成する酸性電解水生成部とを有する電解槽と、前記電解槽から供給される前記アルカリ性電解水と前記酸性電解水とを散布するノズルユニットと、前記ノズルユニットからの電解水の散布を制御する制御部と、を備え、前記制御部は、前記アルカリ性電解水と前記酸性電解水とを交互に散布する、という構成を有する。
【００６２】
これにより、浴室内の石鹸のカスや垢といった有機物質による汚れの洗浄をアルカリ性電解水の散布により行い、酸性電解水の散布により、浴室内の除菌をすることとなるので、例えばスポンジ等で擦る必要が無く、浴室内の清掃の手間を低減することができる、という効果を奏する。
【００６３】
また、清掃開始時において前記制御部は、前記アルカリ性電解水を散布し、当該アルカリ性電解水の散布の後に前記酸性電解水を散布するという構成にしてもよい。
【００６４】
これにより、浴室内にアルカリ性電解水を散布し有機物質による汚れをはがし、その後酸性電解水を散布して浴室内の除菌と汚れの洗浄を行なうことができる。
【００６５】
また、清掃開始時において前記制御部は、前記酸性電解水を散布し、当該酸性電解水の散布の後に前記アルカリ性電解水を散布する、という構成にしてもよい。
【００６６】
これにより、浴室内に酸性電解水を散布して浴室内を除菌した後にアルカリ性電解水を散布し有機物質による汚れをはがすこととなるので、菌を浴室内に散乱させることなく浴室の清掃を行なうことができる。
【００６７】
また、前記ノズルユニットは、前記アルカリ性電解水と前記酸性電解水とを受水可能であり、前記制御部は、前記ノズルユニットへの前記アルカリ性電解水と前記酸性電解水との供給を排他的に切り替える、という構成にしてもよい。
【００６８】
これにより、ノズルユニット１つでアルカリ性電解水および酸性電解水の散布を行うことができるため、装置の低コスト化、省スペース化に寄与することが実現できる。
【００６９】
また、前記制御部は、複数の流路間の接続を切り替える弁と、前記弁と前記ノズルユニットとを接続する散布流路と、前記アルカリ性電解水生成部と前記弁とを接続するアルカリ性電解水供給流路と、前記酸性電解生成部と前記弁とを接続する酸性電解水供給流路と、
前記電解水を排水するための排水経路と前記弁とを接続する排水流路と、を備え、前記弁は、前記アルカリ性電解水供給流路と前記散布流路とを接続する際には前記酸性電解水供給流路と前記排水流路とを接続し、前記酸性電解水供給流路と前記散布流路とを接続する際には前記アルカリ性電解水供給流路と前記排水流路とを接続する、という構成にしてもよい。
【００７０】
これにより、アルカリ性電解水を浴室内に散布すると同時に、散布したアルカリ性電解水と等量の酸性電解水の排水を行うことができる。また、酸性電解水を浴室内に散布すると同時に、散布した酸性電解水と等量の前記アルカリ性電解水の排水を行うことができる。このため、アルカリ性電解水生成部及び前記酸性電解水生成部の生成効率が上がり、電極板の劣化を防ぐことができるとともに、電解槽への給水の調整が容易になるため、制御を簡易化することができる、という効果を奏する。
【００７１】
また、前記電解槽は、前記アルカリ性電解水生成部と前記酸性電解水生成部とを電気分解可能な隔膜で分離する、という構成にしてもよい。
【００７２】
これにより、電解槽１つで前記アルカリ性電解水及び、酸性電解水の生成ができるため、装置の低コスト化、省スペース化に寄与することができる。
【産業上の利用可能性】
【００７３】
本発明に係る浴室清掃装置は、浴室内の清掃の手間を低減することができるものであり浴室内の清掃機能を有した浴室用の換気装置として有用である。
【符号の説明】
【００７４】
１    浴室暖房乾燥機
２    フロントパネル
３    吸込み口
４    吹出し口
５    ノズルユニット
６    給水管
７    水道水供給用電磁弁
８    酸性電解水用電磁弁
９    アルカリ性電解水用電磁弁
１０    ＤＣ電源
１１    隔膜
１２    陽極板
１３    陰極板
１４    有隔膜電解槽
１５    浴室
１６    天井
１７    酸性給水管
１８    アルカリ性給水管
１９    酸性電解水
２０    アルカリ性電解水
２１    流路切替用弁
２２    排水管
２３    散布管
２９    水道水供給部
３０    電解水生成部
３１ａ，３１ｂ    制御部
５０ａ，５０ｂ    浴室清掃装置
【図１】
2018122090.tif 000003
【図２】
2018122090.tif 000004
【図３】
2018122090.tif 000005
【図４】
2018122090.tif 000006